(57)【要約】      （修正有）【課題】主体縫製物の縫い合わせ位置の位置合わせの便利性を高めるミシンの柱式傾斜構造の提供。【解決手段】機柱の傾倒支点が下軸心（Ｘ軸）上に配置され、Ｘ軸及びＹ軸上に任意に設置された垂線にあって、Ｙ軸の交叉点が下軸を二つに分け、並びに軸コネクタによりもう一端の分割後の下軸に連結されている。並びにスライド輸送機構、回転梭回転伝達機構、及び上下のカム、輸送フレーム、小歯車、大歯車が機柱底座に配置され、Ｘ軸とＹ軸を支点とし、機柱底座が移動可能とされ、これにより伝統的な輸送機構のミシンの機柱が輸送スライド構造を妨害する問題を解決し、下軸軸方向に傾倒する構造を提供する。【選択図】図１９
0003101773.tif 000002
【実用新案登録請求の範囲】
【請求項１】
機座の下軸が二つに分けられ、下軸の軸中心に軸コネクタが配置されて軸コネクタの中心が機柱の傾倒中心に配置されたことを特徴とする、柱状ミシンの柱式傾斜構造。
【請求項２】
請求項１記載の柱状ミシンの柱式傾斜構造において、機柱底座をスライド運動可能とし、並びに機柱底座と直角を呈するよう配置さた第１スライド板と接合され、また、水平スライド運動可能なスライダーに第２スライド板が増設されて、それが下軸と平行、垂直を呈する方向にスライド運動可能とされ、これにより第２スライド板に軸方向揺動の伝導運動を行なわせることを特徴とする、柱状ミシンの柱式傾斜構造。
【考案の詳細な説明】
【技術分野】
【０００１】
本考案は一種のミシンの送り構造に係り、特に、ミシンの下送り構造であり、それは立体縫製物品のミシン上での着脱を容易とするミシンの柱式傾斜構造に関する。
【背景技術】
【０００２】
図１、図２には操作者側に傾倒するミシン構造が示される。上送りと下送りがミシン針の揺動に同期するよう組み合わされる総合送りミシンである。
【０００３】
下軸１４にあって、連接棒１９を介して、水平送り軸２５に固定されたマシンアーム２４の揺動が下軸１４を軸心（図示せず）とするスライド板に伝達され、その後、連接棒１９を介して機柱底座９に配置された案内板２１の凹溝２１ａに連結されたスライド板２０のスライド動作が直線スライド動作に変換される。その後、水平送り軸２５の揺動スライドが下軸に集中し、これにより機柱底座９の回転支点が下軸１４の軸心に設置され、また機柱底座９も下軸１４の半径方向に傾倒しうる。
【０００４】
以上述べたように、伝統的な傾倒式の柱式ミシンは下軸と直角状態を呈し、並びに軸直角平面内をスライドする。立体方縫製物の縫合位置を設定する時には、操作員は正面より機柱１０と立体縫製物の位置をミシンに針棒５側に移動させなければならず、位置の偏りの問題を形成しやすい。
【考案の開示】
【考案が解決しようとする課題】
【０００５】
従来の技術の問題を解決するため、本考案の柱式ミシン傾倒構造の目的は、立体縫製物の縫合位置の位置合わせの便利性を高めることにあるものとする。
【課題を解決するための手段】
【０００６】
請求項１の考案は、機座の下軸が二つに分けられ、下軸の軸中心に軸コネクタが配置されて軸コネクタの中心が機柱の傾倒中心に配置されたことを特徴とする、柱状ミシンの柱式傾斜構造としている。
請求項２の考案は、請求項１記載の柱状ミシンの柱式傾斜構造において、機柱底座をスライド運動可能とし、並びに機柱底座と直角を呈するよう配置さた第１スライド板と接合され、また、水平スライド運動可能なスライダーに第２スライド板が増設されて、それが下軸と平行、垂直を呈する方向にスライド運動可能とされ、これにより第２スライド板に軸方向揺動の伝導運動を行なわせることを特徴とする、柱状ミシンの柱式傾斜構造としている。
【考案の効果】
【０００７】
本考案を使用する時、下送りスライド運動の連接棒等の接合状態下で、送りを行なう機柱が下軸軸方向に回転し、立体縫製物縫合位置に保持されると共に、ミシン針を回すことができ、これにより作業効率を高めることができる。
【考案を実施するための最良の形態】
【０００８】
本考案の柱状ミシンの柱式傾斜構造は、下軸軸心が機柱の傾倒支点とされ、この軸心に垂直線が設けられ、軸心の交叉点に軸コネクタが配置されて下軸が分割され、分割後の下軸が機柱底座に配置され、これにより送りスライド運動する上下スライド成分と、水平スライド成分の従動構造が配置され、送りスライド運動する水平成分はスライド板を使用して、揺動スライド運動を水平、垂直動作に変換し、且つこの垂直動作成分の第２スライド板を解除しなくとも傾倒可能である。
【０００９】
本考案の柱状ミシンの柱式傾斜構造は、送りスライド運動する各接合構造体を取り外さなくとも、送りスライド構造が設けられた機柱底座が下軸の軸方向の垂直面内で移動し、また縫製物の縫合位置に容易に位置合わせしやすい。
【実施例１】
【００１０】
図１、図２は周知の技術の下軸直角方向の傾倒構造の説明図である。図３から図１９は本考案の実施例の下軸方向傾倒構造を示し、図中の符号は周知の技術の図１、２に対応している。
【００１１】
符号１４は下軸を示し、図中には未表示の上軸の回転動作の発生は、図に未表示の歯車伝動帯によりスプロケット１３が端部に固定された時に発生する回転動作により伝導される。符号１６は第２下軸を示し、下軸１４と同一軸心に配置され、その後、軸受２７、２８が支持し回転する軸コネクタ１５、１５ａ、１５ｂにより機柱底座９に連結され、下軸１４の回転を伝導する。
【００１２】
軸コネクタ１５ａの中心と下軸１４、第２下軸１６の軸心水平面内の機柱底座９の枢設孔３６の中心は一致する。即ち、下軸１４、第２下軸１６の同一軸心がＸ軸の時、Ｘ軸、Ｙ軸及びＺ軸の交叉点にあって、軸コネクタ１５ａの軸心を機柱回転軸と同一軸心を以てＺ軸上に配置し、機柱底座が回転する時、下軸１４の軸方向移動量を最低限度に下げる。
【００１３】
小歯車１７は機柱１０の中心の軸３１の下端に配置され、該軸の上端に回転梭４０が接続されて、第２下軸１６の大歯車１８と軸直角を呈するよう接合され、第２下軸１６の回転を伝える。
【００１４】
上下のカム２６は、第２下軸１６に固定され並びにネジ３２で第１スライド板２０上の連接棒１９に固定され、ネジ３３とナット３９により、上下の運動動作が送り機座１１に伝導される。
【００１５】
２０ａはスライダーとされて、第２下軸１６と直角を呈するように機柱底座９に固定されて、案内板２１の凹溝２１ａに接続され、並びに下軸の直角（Ｚ軸）水平面内を移動可能な第１スライド板２０に固定され、また凹溝２０ｂが配置されている。第２スライド板２２は図に未表示の下軸１４のカムと連接棒構造、回転スライド運動を揺動スライド運動に変換する機座８、図に未表示の軸受に支持された水平送り軸２５のマシンアーム２４、及び上方の軸２３が回転自由に接合されてなり、水平送り軸２５の揺動スライドを第１スライド板２０に伝達する。水平送り軸２５の揺動スライド運動範囲内にあって、第２スライド板２２は随時垂直（Ｙ軸）状態にあり、第２スライド板２２と凹溝２０ｂの間の嵌合範囲内にあって揺動スライド運動し、どの下軸軸直角垂直面（Ｘ軸）に移動しても伝達できる。
【００１６】
Ｕ型座３４は機座８の底面に固定されて、反対方向の図に未表示の機体孔と接合された下軸心水平面内（Ｚ軸）と、軸ピン３５、３７で機柱底座の枢設孔３６に接続され、機柱底座９を軸ピン３５、３７を軸心として回転可能としている。
【００１７】
本考案は以上の構造よりなり、図３及び図５は機柱１０垂直時の縫製可能な状態であり、図４、図６は立体縫製物を出し入れする時に、機柱が傾倒した状態を示す。図８、１１、１４は縫製状態下での送りスライド運動の楕円軌跡、部品配置の正面図、連接棒１９中央のネジ３３の楕円スライド運動に似た中心軌跡を示す。図９、図１２、図１５は側面図であり、図中の矢印方向はスライド運動の方向を示す。図中に未表示の機柱固定装置を解除する時、下軸はＸ軸とされ、並びにこの線上に設定されたＹ軸、Ｚ軸の位置が傾倒支点とされ、第２スライド板２２とスライダー２０ａの送り水平成分最大時のマシンアーム２４の位置は図８であり、中央位置は図１１、最小位置は図１４である。マシンアーム２４の位置がどこであっても、図１０、図１３、図１６に示されるように、下軸直角水平面内にあって、スライダー２０ａと第２スライド板２２を取り外さなくとも傾倒可能で、軸コネクタ１５ａの軸心（Ｚ軸）を中心としてＸ軸とＹ軸、Ｚ軸の交叉点に向けて傾倒する。
【図面の簡単な説明】
【００１８】
【図１】周知の技術の下軸直角方向の傾倒構造の説明図である。
【図２】周知の技術の下軸直角方向の傾倒構造の説明図である。
【図３】本考案の実施例の機柱の直立状態表示図である。
【図４】本考案の実施例の機柱の傾倒状態表示図である。
【図５】本考案の下軸構造表示図である。
【図６】本考案の下軸構造表示図である。
【図７】本考案の平面視による構造表示図である。
【図８】本考案の動作表示図である。
【図９】本考案の動作表示図である。
【図１０】本考案の動作表示図である。
【図１１】本考案の動作表示図である。
【図１２】本考案の動作表示図である。
【図１３】本考案の動作表示図である。
【図１４】本考案の動作表示図である。
【図１５】本考案の動作表示図である。
【図１６】本考案の動作表示図である。
【図１７】本考案の機柱部分の立体組合せ図である。
【図１８】本考案の実施例の分解斜視図である。
【図１９】本考案の実施例の分解斜視図である。
【符号の説明】
【００１９】
５  針棒                            ８  機座
９  機柱底座                        １０  機柱
１１  送り機座                      １２  送り歯
１３  スプロケット                  １４  下軸
１５、１５ａ、１５ｂ  軸コネクタ    ４０  回転梭
１６  第２下軸                      １７  小歯車
１８  大歯車                        １９  連接棒
２０  第１スライド板                ２０ａ  スライダー
２０ｂ  凹溝                        ２１  案内板
２１ａ  凹溝                        ２２  第２スライド板
２３  軸                            ２４  マシンアーム
２５  水平送り軸                    ２６  カム
２７、２８  軸受                    ３２、３３  ネジ
３４  Ｕ型座                        ３５、３７  軸ピン
３６  枢設孔                        ３９  ナット
【図１】
0003101773.tif 000003
【図２】
0003101773.tif 000004
【図３】
0003101773.tif 000005
【図４】
0003101773.tif 000006
【図５】
0003101773.tif 000007
【図６】
0003101773.tif 000008
【図７】
0003101773.tif 000009
【図８】
0003101773.tif 000010
【図９】
0003101773.tif 000011
【図１０】
0003101773.tif 000012
【図１１】
0003101773.tif 000013
【図１２】
0003101773.tif 000014
【図１３】
0003101773.tif 000015
【図１４】
0003101773.tif 000016
【図１５】
0003101773.tif 000017
【図１６】
0003101773.tif 000018
【図１７】
0003101773.tif 000019
【図１８】
0003101773.tif 000020
【図１９】
0003101773.tif 000021